(57)【要約】【課題】上水道メータボックスに関する情報を直接、或いは、サーバにアクセスして容易且つ迅速に取得することができると共に、サーバに情報をアップロードすることができる上水道メータボックス用情報通信システムを提供する。【解決手段】上水道メーターボックス２に設けられるＩＣタグ３と、ＩＣタグ３のデータを読み取り自在の携帯端末接続型ＩＣタグリーダー４と、携帯端末接続型ＩＣタグリーダー４と通信自在の携帯端末５と、携帯端末５とインターネット６を介して通信自在に接続されるサーバ７とを備えた上水道メータボックス用情報通信システム１であって、携帯端末５は、携帯端末接続型ＩＣタグリーダー４がＩＣタグ３から読み取ったＵＲＬを介してサーバ７のサイトにアクセスする手段と、入力情報をサーバ７に送信する手段と、サーバ７から上水道メータボックス用情報を受信すると、その情報を表示する手段等を備えている。【選択図】図１
2009100087.tif 000002
【特許請求の範囲】
【請求項１】
上水道メーターボックスに設けられるＩＣタグと、前記ＩＣタグのデータを読み取り自在の携帯端末接続型ＩＣタグリーダーと、前記携帯端末接続型ＩＣタグリーダーと通信自在の携帯端末と、前記携帯端末とインターネットを介して通信自在に接続されるサーバとを備えた上水道メータボックス用情報通信システムであって、
前記ＩＣタグは、少なくとも上水道メーターボックス番号と前記サーバのサイトに接続するためのＵＲＬとを格納し、
前記携帯端末は、前記携帯端末接続型ＩＣタグリーダーが前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記携帯端末接続型ＩＣタグリーダーが前記ＩＣタグから読み取った上水道メーターボックス番号に関する上水道メータボックス用情報を要求する手段と、
前記サーバから前記上水道メータボックス用情報を受信すると、その情報を表示する手段とを備え、
前記サーバは、前記上水道メータボックス用情報を格納するデータベースと、
前記携帯端末からのアクセスにより、前記情報入力画面を送信する手段と、
前記携帯端末から入力情報を受信すると、前記データベースに格納する手段と、
前記携帯端末から前記上水道メータボックス用情報の要求があると、前記要求に基づき前記データベースから上水道メータボックス用情報を抽出する手段と、
抽出した情報を前記携帯端末に送信する手段とを備えていることを特徴とする上水道メータボックス用情報通信システム。
【請求項２】
前記ＩＣタグは、更に、前記上水道メーターボックスに接続される隣接マンホールの隣接マンホール番号が格納され、
前記携帯端末は、前記隣接マンホール番号を前記サーバに送信する手段を備え、
前記サーバは、前記携帯端末から前記隣接マンホール番号を受信すると、前記データベースから前記隣接マンホール番号に関する情報を抽出する手段と、
抽出した前記隣接マンホール番号に関する情報を前記携帯端末に送信する手段とを備えていることを特徴とする請求項１記載の上水道メータボックス用情報通信システム。
【請求項３】
上水道メーターボックスに設けられるＩＣタグと、前記ＩＣタグのデータを読み取り自在のＩＣタグリーダー内蔵携帯端末と、前記ＩＣタグリーダー内蔵携帯端末とインターネットを介して通信自在に接続されるサーバとを備えた上水道メータボックス用情報通信システムであって、
前記ＩＣタグは、少なくとも上水道メーターボックス番号と前記サーバのサイトに接続するためのＵＲＬとを格納し、
前記ＩＣタグリーダー内蔵携帯端末は、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った上水道メーターボックス番号に関する上水道メータボックス用情報を要求する手段と、
前記サーバから前記上水道メータボックス用情報を受信すると、その情報を表示する手段とを備え、
前記サーバは、前記上水道メータボックス用情報を格納するデータベースと、
前記ＩＣタグリーダー内蔵携帯端末からのアクセスにより、前記情報入力画面を送信する手段と、
前記ＩＣタグリーダー内蔵携帯端末から入力情報を受信すると、前記データベースに格納する手段と、
前記ＩＣタグリーダー内蔵携帯端末から前記上水道メータボックス用情報の要求があると、前記要求に基づき前記データベースから上水道メータボックス用情報を抽出する手段と、
抽出した情報を前記ＩＣタグリーダー内蔵携帯端末に送信する手段とを備えていることを特徴とする上水道メータボックス用情報通信システム。
【請求項４】
前記ＩＣタグは、更に、前記上水道メーターボックスに接続される隣接マンホールの隣接マンホール番号が格納され、
前記ＩＣタグリーダー内蔵携帯端末は、前記隣接マンホール番号を前記サーバに送信する手段を備え、
前記サーバは、前記ＩＣタグリーダー内蔵携帯端末から前記隣接マンホール番号を受信すると、前記データベースから前記隣接マンホール番号に関する情報を抽出する手段と、
抽出した前記隣接マンホール番号に関する情報を前記ＩＣタグリーダー内蔵携帯端末に送信する手段とを備えていることを特徴とする請求項３記載の上水道メータボックス用情報通信システム。
【請求項５】
上水道メーターボックスに設けられるＩＣタグと、前記ＩＣタグに対し読み取り・書き込み自在のＩＣタグリーダー・ライターと、前記ＩＣタグリーダー・ライターとインターネットを介して通信自在に接続されるサーバとを備えた上水道メータボックス用情報通信システムであって、
前記ＩＣタグは、少なくとも上水道メーターボックス番号と前記サーバのサイトに接続するためのＵＲＬとを格納し、
前記ＩＣタグリーダー・ライターは、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った上水道メーターボックス番号に関する上水道メータボックス用情報を要求する手段と、
前記サーバから前記上水道メータボックス用情報を受信すると、その受信情報を表示する手段と、
入力情報又は前記受信情報を前記ＩＣタグに書き込む手段とを備え、
前記サーバは、前記上水道メータボックス用情報を格納するデータベースと、
前記ＩＣタグリーダー・ライターからのアクセスにより、前記情報入力画面を送信する手段と、
前記ＩＣタグリーダー・ライターから入力情報を受信すると、前記データベースに格納する手段と、
前記ＩＣタグリーダー・ライターから前記上水道メータボックス用情報の要求があると、前記要求に基づき前記データベースから上水道メータボックス用情報を抽出する手段と、
抽出した情報を前記ＩＣタグリーダー・ライターに送信する手段とを備えていることを特徴とする上水道メータボックス用情報通信システム。
【請求項６】
前記ＩＣタグは、更に、前記上水道メーターボックスに接続される隣接マンホールの隣接マンホール番号が格納され、
前記ＩＣタグリーダー・ライターは、前記隣接マンホール番号を前記サーバに送信する手段を備え、
前記サーバは、前記ＩＣタグリーダー・ライターから前記隣接マンホール番号を受信すると、前記データベースから前記隣接マンホール番号に関する情報を抽出する手段と、
抽出した前記隣接マンホール番号に関する情報を前記ＩＣタグリーダー・ライターに送信する手段とを備えていることを特徴とする請求項５記載の上水道メータボックス用情報通信システム。
【請求項７】
前記ＩＣタグは、前記上水道メータボックスの緯度、経度、高度を含む位置情報を格納していることを特徴とする請求項１乃至６記載の上水道メータボックス用情報通信システム。
【請求項８】
請求項１乃至７のうちいずれか一に記載の上水道メータボックス用情報通信システムに於ける前記上水道メータボックスに代えて止水弁ボックスとすることを特徴とする止水弁ボックス用情報通信システム。
【請求項９】
前記ＩＣタグは、前記止水弁ボックスの緯度、経度、高度を含む位置情報を格納していることを特徴とする請求項８記載の止水弁ボックス用情報通信システム。
【請求項１０】
マンホールの蓋体に設けられるＩＣタグと、前記ＩＣタグのデータを読み取り自在の携帯端末接続型ＩＣタグリーダーと、前記携帯端末接続型ＩＣタグリーダーと通信自在の携帯端末と、前記携帯端末とインターネットを介して通信自在に接続されるサーバとを備えたマンホール用情報通信システムであって、
前記ＩＣタグは、少なくともマンホール番号と前記サーバのサイトに接続するためのＵＲＬとを格納し、
前記携帯端末は、前記携帯端末接続型ＩＣタグリーダーが前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取ったマンホール番号に関するマンホール用情報を要求する手段と、
前記サーバから前記マンホール用情報を受信すると、前記マンホール用情報を表示する手段とを備え、
前記サーバは、マンホールに関するＧＩＳ情報を含むマンホール用情報を格納するデータベースと、
前記携帯端末からのアクセスにより、前記情報入力画面を送信する手段と、
前記携帯端末から前記入力情報を受信すると、前記データベースに格納する手段と、
前記携帯端末から前記マンホール用情報の要求があると、前記要求に基づき前記データベースから前記マンホール用情報を抽出する手段と、
抽出したマンホール用情報を前記携帯端末に送信する手段とを備えていることを特徴とするマンホール用情報通信システム。
【請求項１１】
前記ＩＣタグは、更に、前記マンホールに接続される隣接マンホールの隣接マンホール番号が格納され、
前記携帯端末は、前記携帯端末接続型ＩＣタグリーダーを介して前記ＩＣタグから取得した前記隣接マンホール番号の隣接マンホール用情報を前記サーバに要求する手段を備え、
前記サーバは、前記携帯端末から前記隣接マンホール用情報の要求を受信すると、前記要求に基づき前記データベースから、前記隣接マンホール用情報を抽出する手段と、
抽出した前記隣接マンホール用情報を前記携帯端末に送信する手段とを備えていることを特徴とする請求項１０記載のマンホール用情報通信システム。
【請求項１２】
マンホールの蓋体に設けられるＩＣタグと、前記ＩＣタグのデータを読み取り自在のＩＣタグリーダー内蔵携帯端末と、前記ＩＣタグリーダー内蔵携帯端末とインターネットを介して通信自在に接続されるサーバとを備えたマンホール用情報通信システムであって、
前記ＩＣタグは、少なくともマンホール番号と前記サーバのサイトに接続するためのＵＲＬとを格納し、
前記ＩＣタグリーダー内蔵携帯端末は、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った前記マンホール番号に関するマンホール用情報を要求する手段と、
前記サーバから前記マンホール用情報を受信すると、前記マンホール用情報を表示する手段とを備え、
前記サーバは、マンホールに関するＧＩＳ情報を含むマンホール用情報を格納するデータベースと、
前記ＩＣタグリーダー内蔵携帯端末からのアクセスにより、前記情報入力画面を送信する手段と、
前記ＩＣタグリーダー内蔵携帯端末から前記入力情報を受信すると、前記データベースに格納する手段と、
前記ＩＣタグリーダー内蔵携帯端末から前記マンホール用情報の要求があると、前記要求に基づき前記データベースから前記マンホール用情報を抽出する手段と、
抽出したマンホール用情報を前記ＩＣタグリーダー内蔵携帯端末に送信する手段とを備えていることを特徴とするマンホール用情報通信システム。
【請求項１３】
前記ＩＣタグは、更に、前記マンホールに接続される隣接マンホールの隣接マンホール番号が格納され、
前記ＩＣタグリーダー内蔵携帯端末は、前記ＩＣタグから取得した前記隣接マンホール番号の隣接マンホール用情報を前記サーバに要求する手段を備え、
前記サーバは、前記ＩＣタグリーダー内蔵携帯端末から前記隣接マンホール用情報の要求を受信すると、前記要求に基づき前記データベースから、前記隣接マンホール用情報を抽出する手段と、
抽出した前記隣接マンホール用情報を前記ＩＣタグリーダー内蔵携帯端末に送信する手段とを備えていることを特徴とする請求項１２記載のマンホール用情報通信システム。
【請求項１４】
マンホールの蓋体に設けられるＩＣタグと、前記ＩＣタグに対し読み取り・書き込み自在のＩＣタグリーダー・ライターと、前記ＩＣタグリーダー・ライターとインターネットを介して通信自在に接続されるサーバとを備えたマンホール用情報通信システムであって、
前記ＩＣタグは、少なくともマンホール番号と前記サーバのサイトに接続するためのＵＲＬとを格納し、
前記ＩＣタグリーダー・ライターは、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った前記マンホール番号に関するマンホール用情報を要求する手段と、
前記サーバから前記マンホール用情報を受信すると、前記マンホール用情報を表示する手段と、
入力情報又は前記受信情報を前記ＩＣタグに書き込む手段とを備え、
前記サーバは、マンホールに関するＧＩＳ情報を含むマンホール用情報を格納するデータベースと、
前記ＩＣタグリーダー・ライターからのアクセスにより、前記情報入力画面を送信する手段と、
前記ＩＣタグリーダー・ライターから前記入力情報を受信すると、前記データベースに格納する手段と、
前記ＩＣタグリーダー・ライターから前記マンホール用情報の要求があると、前記要求に基づき前記データベースから前記マンホール用情報を抽出する手段と、
抽出したマンホール用情報を前記ＩＣタグリーダー・ライターに送信する手段とを備えていることを特徴とするマンホール用情報通信システム。
【請求項１５】
前記ＩＣタグは、更に、前記マンホールに接続される隣接マンホールの隣接マンホール番号が格納され、
前記ＩＣタグリーダー・ライターは、前記ＩＣタグから取得した前記隣接マンホール番号の隣接マンホール用情報を前記サーバに要求する手段を備え、
前記サーバは、前記ＩＣタグリーダー内蔵携帯端末から前記隣接マンホール用情報の要求を受信すると、前記隣接マンホール用情報に基づき前記データベースから、前記隣接マンホール用情報を抽出する手段と、
抽出した前記隣接マンホール用情報を前記ＩＣタグリーダー内蔵携帯端末に送信する手段とを備えていることを特徴とする請求項１４記載のマンホール用情報通信システム。
【請求項１６】
前記ＩＣタグは、前記マンホールの蓋体の緯度、経度、高度を含む位置情報を格納していることを特徴とする請求項１０乃至１５記載のうちいずれか一に記載のマンホール用情報通信システム。
【発明の詳細な説明】
【技術分野】
【０００１】
本発明は、上水道メータボックス、止水弁ボックス又はマンホールに関する情報を容易に直接取得できると共に、サーバにアクセスして情報を取得することができ、且つ、サーバに情報をアップロードすることができる上水道メータボックス、止水弁ボックス及びマンホール用情報通信システムに関する。
【背景技術】
【０００２】
従来、上水道メーターの検針は、検針者が現場で上水道メーター番号等を確認してハンディターミナルに入力した後、上水道メーターのメーター値を確認して、その検針結果をハンディターミナルに入力している。そして、検針結果を格納したハンディターミナルは、検針者によって事務所に搬送された後、ハンディターミナル内の検針データが事務所のサーバにアップロードされる。
【０００３】
此種従来の先行文献として例えば特許文献１があり、特許文献１は、各家庭における電気、水道またはガス等の計測データを数軒分まとめて既存のパーソナル・ハンディホン（ＰＨＰ）端末から既存のＰＨＳ回線網を使用して課金センタに伝送することにより、データ収集コストを低減した計測データ収集方式を提供するものである。
【０００４】
又、マンホール用情報通信システムに関しては、特許文献２があり、特許文献２は、マンホールに設けられた記憶手段を利用して、管理者がモバイルコンピュータ操作によりマンホール用情報管理を行うシステムである。記憶手段は、ＩＣチップ又はＩＣカードが用いられている。
【特許文献１】特開平９−２３３２１０号公報
【特許文献２】特開２００２−３６６６１６号公報
【発明の開示】
【発明が解決しようとする課題】
【０００５】
前述した上水道メーターボックスの検針結果をハンディターミナルに入力する場合、その都度、検針上水道メーターボックスの上水道メーター番号等を確認し、その上水道メーター番号等をハンディターミナルに入力する作業が伴う。
【０００６】
この作業は、検針する上水道メーターボックス毎に行なうため煩雑な作業であり、作業効率を悪化させ、或いは、誤入力を起こす虞があるという問題がある。
又、ハンディターミナルは検針者によって事務所に搬送された後、検針データを事務所のサーバにアップロードするため、検針データをアップロードするまでに時間がかかり、作業効率が悪いという問題がある。
【０００７】
特許文献１は、各家庭に計測データ伝送装置を備えるものであり、その設置費用がコスト高になる問題があり、又、計測データを課金センターに伝送することを目的としており、その用途が限定されるものである。
【０００８】
特許文献２は、記憶手段としてＩＣチップ又はＩＣカードが用いられており、ＩＣチップ又はＩＣカードの読取り、書込み手段を必要とする。このＩＣチップ又はＩＣカードの読取り、書込み手段は、現状ではまだ充分小型化されていないため比較的携帯性が悪いものである。又、ＩＣチップ又はＩＣカードの読取り、書込み手段は、非接触でデータ交換できるが、比較的近接した位置で行なう必要がある。
更に、ＩＣチップ又はＩＣカードに、マンホールの位置情報が格納されていないため、マンホールの位置情報を利用するサービスを提供できない。更に又、ＩＣチップ又はＩＣカードにＵＲＬが格納されていないため、モバイルコンピュータがＵＲＬを保有する必要があり、又、保有するＵＲＬを呼び出す時間がかかり、或いは、サーバーとの他の接続方法が必要となり、迅速な対応ができないという問題がある。
【０００９】
以上の現状に鑑み、本発明は、上水道メータボックス、止水弁ボックス又はマンホールに関する情報を直接、或いは、サーバにアクセスして容易且つ迅速に取得することができると共に、サーバに情報をアップロードすることができる上水道メータボックス、止水弁ボックス及びマンホール用情報通信システムを提供することを目的とする。
【課題を解決するための手段】
【００１０】
上記の課題を解決すべく、本発明は以下の構成を提供する。
請求項１に係る発明は、上水道メーターボックスに設けられるＩＣタグと、前記ＩＣタグのデータを読み取り自在の携帯端末接続型ＩＣタグリーダーと、前記携帯端末接続型ＩＣタグリーダーと通信自在の携帯端末と、前記携帯端末とインターネットを介して通信自在に接続されるサーバとを備えた上水道メータボックス用情報通信システムであって、
前記ＩＣタグは、少なくとも上水道メーターボックス番号と前記サーバのサイトに接続するためのＵＲＬとを格納し、
前記携帯端末は、前記携帯端末接続型ＩＣタグリーダーが前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記携帯端末接続型ＩＣタグリーダーが前記ＩＣタグから読み取った上水道メーターボックス番号に関する上水道メータボックス用情報を要求する手段と、
前記サーバから前記上水道メータボックス用情報を受信すると、その情報を表示する手段とを備え、
前記サーバは、前記上水道メータボックス用情報を格納するデータベースと、
前記携帯端末からのアクセスにより、前記情報入力画面を送信する手段と、
前記携帯端末から入力情報を受信すると、前記データベースに格納する手段と、
前記携帯端末から前記上水道メータボックス用情報の要求があると、前記要求に基づき前記データベースから上水道メータボックス用情報を抽出する手段と、
抽出した情報を前記携帯端末に送信する手段とを備えていることを特徴とする上水道メータボックス用情報通信システムを提供するものである。
【００１１】
請求項２に係る発明は、前記ＩＣタグは、更に、前記上水道メーターボックスに接続される隣接マンホールの隣接マンホール番号が格納され、
前記携帯端末は、前記隣接マンホール番号を前記サーバに送信する手段を備え、
前記サーバは、前記携帯端末から前記隣接マンホール番号を受信すると、前記データベースから前記隣接マンホール番号に関する情報を抽出する手段と、
抽出した前記隣接マンホール番号に関する情報を前記携帯端末に送信する手段とを備えていることを特徴とする請求項１記載の上水道メータボックス用情報通信システムを提供するものである。
【００１２】
請求項３に係る発明は、上水道メーターボックスに設けられるＩＣタグと、前記ＩＣタグのデータを読み取り自在のＩＣタグリーダー内蔵携帯端末と、前記ＩＣタグリーダー内蔵携帯端末とインターネットを介して通信自在に接続されるサーバとを備えた上水道メータボックス用情報通信システムであって、
前記ＩＣタグは、少なくとも上水道メーターボックス番号と前記サーバのサイトに接続するためのＵＲＬとを格納し、
前記ＩＣタグリーダー内蔵携帯端末は、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った上水道メーターボックス番号に関する上水道メータボックス用情報を要求する手段と、
前記サーバから前記上水道メータボックス用情報を受信すると、その情報を表示する手段とを備え、
前記サーバは、前記上水道メータボックス用情報を格納するデータベースと、
前記ＩＣタグリーダー内蔵携帯端末からのアクセスにより、前記情報入力画面を送信する手段と、
前記ＩＣタグリーダー内蔵携帯端末から入力情報を受信すると、前記データベースに格納する手段と、
前記ＩＣタグリーダー内蔵携帯端末から前記上水道メータボックス用情報の要求があると、前記要求に基づき前記データベースから上水道メータボックス用情報を抽出する手段と、
抽出した情報を前記ＩＣタグリーダー内蔵携帯端末に送信する手段とを備えていることを特徴とする上水道メータボックス用情報通信システムを提供するものである。
【００１３】
請求項４に係る発明は、前記ＩＣタグは、更に、前記上水道メーターボックスに接続される隣接マンホールの隣接マンホール番号が格納され、
前記ＩＣタグリーダー内蔵携帯端末は、前記隣接マンホール番号を前記サーバに送信する手段を備え、
前記サーバは、前記ＩＣタグリーダー内蔵携帯端末から前記隣接マンホール番号を受信すると、前記データベースから前記隣接マンホール番号に関する情報を抽出する手段と、
抽出した前記隣接マンホール番号に関する情報を前記ＩＣタグリーダー内蔵携帯端末に送信する手段とを備えていることを特徴とする請求項３記載の上水道メータボックス用情報通信システムを提供するものである。
【００１４】
請求項５に係る発明は、上水道メーターボックスに設けられるＩＣタグと、前記ＩＣタグに対し読み取り・書き込み自在のＩＣタグリーダー・ライターと、前記ＩＣタグリーダー・ライターとインターネットを介して通信自在に接続されるサーバとを備えた上水道メータボックス用情報通信システムであって、
前記ＩＣタグは、少なくとも上水道メーターボックス番号と前記サーバのサイトに接続するためのＵＲＬとを格納し、
前記ＩＣタグリーダー・ライターは、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った上水道メーターボックス番号に関する上水道メータボックス用情報を要求する手段と、
前記サーバから前記上水道メータボックス用情報を受信すると、その受信情報を表示する手段と、
入力情報又は前記受信情報を前記ＩＣタグに書き込む手段とを備え、
前記サーバは、前記上水道メータボックス用情報を格納するデータベースと、
前記ＩＣタグリーダー・ライターからのアクセスにより、前記情報入力画面を送信する手段と、
前記ＩＣタグリーダー・ライターから入力情報を受信すると、前記データベースに格納する手段と、
前記ＩＣタグリーダー・ライターから前記上水道メータボックス用情報の要求があると、前記要求に基づき前記データベースから上水道メータボックス用情報を抽出する手段と、
抽出した情報を前記ＩＣタグリーダー・ライターに送信する手段とを備えていることを特徴とする上水道メータボックス用情報通信システムを提供するものである。
【００１５】
請求項６に係る発明は、前記ＩＣタグは、更に、前記上水道メーターボックスに接続される隣接マンホールの隣接マンホール番号が格納され、
前記ＩＣタグリーダー・ライターは、前記隣接マンホール番号を前記サーバに送信する手段を備え、
前記サーバは、前記ＩＣタグリーダー・ライターから前記隣接マンホール番号を受信すると、前記データベースから前記隣接マンホール番号に関する情報を抽出する手段と、
抽出した前記隣接マンホール番号に関する情報を前記ＩＣタグリーダー・ライターに送信する手段とを備えていることを特徴とする請求項５記載の上水道メータボックス用情報通信システムを提供するものである。
【００１６】
請求項７に係る発明は、前記ＩＣタグは、前記上水道メータボックスの緯度、経度、高度を含む位置情報を格納していることを特徴とする請求項１乃至６記載の上水道メータボックス用情報通信システムを提供するものである。
【００１７】
請求項８に係る発明は、請求項１乃至７のうちいずれか一に記載の上水道メータボックス用情報通信システムに於ける前記上水道メータボックスに代えて止水弁ボックスとすることを特徴とする止水弁ボックス用情報通信システムを提供するものである。
【００１８】
請求項９に係る発明は、前記ＩＣタグは、前記止水弁ボックスの緯度、経度、高度を含む位置情報を格納していることを特徴とする請求項８記載の止水弁ボックス用情報通信システムを提供するものである。
【００１９】
請求項１０に係る発明は、マンホールの蓋体に設けられるＩＣタグと、前記ＩＣタグのデータを読み取り自在の携帯端末接続型ＩＣタグリーダーと、前記携帯端末接続型ＩＣタグリーダーと通信自在の携帯端末と、前記携帯端末とインターネットを介して通信自在に接続されるサーバとを備えたマンホール用情報通信システムであって、
前記ＩＣタグは、少なくともマンホール番号と前記サーバのサイトに接続するためのＵＲＬとを格納し、
前記携帯端末は、前記携帯端末接続型ＩＣタグリーダーが前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取ったマンホール番号に関するマンホール用情報を要求する手段と、
前記サーバから前記マンホール用情報を受信すると、前記マンホール用情報を表示する手段とを備え、
前記サーバは、マンホールに関するＧＩＳ情報を含むマンホール用情報を格納するデータベースと、
前記携帯端末からのアクセスにより、前記情報入力画面を送信する手段と、
前記携帯端末から前記入力情報を受信すると、前記データベースに格納する手段と、
前記携帯端末から前記マンホール用情報の要求があると、前記要求に基づき前記データベースから前記マンホール用情報を抽出する手段と、
抽出したマンホール用情報を前記携帯端末に送信する手段とを備えていることを特徴とするマンホール用情報通信システムを提供するものである。
【００２０】
請求項１１に係る発明は、前記ＩＣタグは、更に、前記マンホールに接続される隣接マンホールの隣接マンホール番号が格納され、
前記携帯端末は、前記携帯端末接続型ＩＣタグリーダーを介して前記ＩＣタグから取得した前記隣接マンホール番号の隣接マンホール用情報を前記サーバに要求する手段を備え、
前記サーバは、前記携帯端末から前記隣接マンホール用情報の要求を受信すると、前記要求に基づき前記データベースから、前記隣接マンホール用情報を抽出する手段と、
抽出した前記隣接マンホール用情報を前記携帯端末に送信する手段とを備えていることを特徴とする請求項１０記載のマンホール用情報通信システムを提供するものである。
【００２１】
請求項１２に係る発明は、マンホールの蓋体に設けられるＩＣタグと、前記ＩＣタグのデータを読み取り自在のＩＣタグリーダー内蔵携帯端末と、前記ＩＣタグリーダー内蔵携帯端末とインターネットを介して通信自在に接続されるサーバとを備えたマンホール用情報通信システムであって、
前記ＩＣタグは、少なくともマンホール番号と前記サーバのサイトに接続するためのＵＲＬとを格納し、
前記ＩＣタグリーダー内蔵携帯端末は、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った前記マンホール番号に関するマンホール用情報を要求する手段と、
前記サーバから前記マンホール用情報を受信すると、前記マンホール用情報を表示する手段とを備え、
前記サーバは、マンホールに関するＧＩＳ情報を含むマンホール用情報を格納するデータベースと、
前記ＩＣタグリーダー内蔵携帯端末からのアクセスにより、前記情報入力画面を送信する手段と、
前記ＩＣタグリーダー内蔵携帯端末から前記入力情報を受信すると、前記データベースに格納する手段と、
前記ＩＣタグリーダー内蔵携帯端末から前記マンホール用情報の要求があると、前記要求に基づき前記データベースから前記マンホール用情報を抽出する手段と、
抽出したマンホール用情報を前記ＩＣタグリーダー内蔵携帯端末に送信する手段とを備えていることを特徴とするマンホール用情報通信システムを提供するものである。
【００２２】
請求項１３に係る発明は、前記ＩＣタグは、更に、前記マンホールに接続される隣接マンホールの隣接マンホール番号が格納され、
前記ＩＣタグリーダー内蔵携帯端末は、前記ＩＣタグから取得した前記隣接マンホール番号の隣接マンホール用情報を前記サーバに要求する手段を備え、
前記サーバは、前記ＩＣタグリーダー内蔵携帯端末から前記隣接マンホール用情報の要求を受信すると、前記要求に基づき前記データベースから、前記隣接マンホール用情報を抽出する手段と、
抽出した前記隣接マンホール用情報を前記ＩＣタグリーダー内蔵携帯端末に送信する手段とを備えていることを特徴とする請求項１２記載のマンホール用情報通信システムを提供するものである。
【００２３】
請求項１４に係る発明は、マンホールの蓋体に設けられるＩＣタグと、前記ＩＣタグに対し読み取り・書き込み自在のＩＣタグリーダー・ライターと、前記ＩＣタグリーダー・ライターとインターネットを介して通信自在に接続されるサーバとを備えたマンホール用情報通信システムであって、
前記ＩＣタグは、少なくともマンホール番号と前記サーバのサイトに接続するためのＵＲＬとを格納し、
前記ＩＣタグリーダー・ライターは、前記ＩＣタグから読み取った前記ＵＲＬを介して前記サーバのサイトにアクセスする手段と、
前記サーバから情報入力画面を受信する手段と、
前記情報入力画面に情報が入力されると、入力情報を前記サーバに送信する手段と、
前記サーバに前記ＩＣタグから読み取った前記マンホール番号に関するマンホール用情報を要求する手段と、
前記サーバから前記マンホール用情報を受信すると、前記マンホール用情報を表示する手段と、
入力情報又は前記受信情報を前記ＩＣタグに書き込む手段とを備え、
前記サーバは、マンホールに関するＧＩＳ情報を含むマンホール用情報を格納するデータベースと、
前記ＩＣタグリーダー・ライターからのアクセスにより、前記情報入力画面を送信する手段と、
前記ＩＣタグリーダー・ライターから前記入力情報を受信すると、前記データベースに格納する手段と、
前記ＩＣタグリーダー・ライターから前記マンホール用情報の要求があると、前記要求に基づき前記データベースから前記マンホール用情報を抽出する手段と、
抽出したマンホール用情報を前記ＩＣタグリーダー・ライターに送信する手段とを備えていることを特徴とするマンホール用情報通信システムを提供するものである。
【００２４】
請求項１５に係る発明は、前記ＩＣタグは、更に、前記マンホールに接続される隣接マンホールの隣接マンホール番号が格納され、
前記ＩＣタグリーダー・ライターは、前記ＩＣタグから取得した前記隣接マンホール番号の隣接マンホール用情報を前記サーバに要求する手段を備え、
前記サーバは、前記ＩＣタグリーダー内蔵携帯端末から前記隣接マンホール用情報の要求を受信すると、前記隣接マンホール用情報に基づき前記データベースから、前記隣接マンホール用情報を抽出する手段と、
抽出した前記隣接マンホール用情報を前記ＩＣタグリーダー内蔵携帯端末に送信する手段とを備えていることを特徴とする請求項１４記載のマンホール用情報通信システムを提供するものである。
【００２５】
請求項１６に係る発明は、前記ＩＣタグは、前記マンホールの蓋体の緯度、経度、高度を含む位置情報を格納していることを特徴とする請求項１０乃至１５記載のうちいずれか一に記載のマンホール用情報通信システムを提供するものである。
【発明の効果】
【００２６】
請求項１記載の発明によれば、携帯端末接続型ＩＣタグリーダーと、携帯端末とを介して上水道メータボックスに関する情報を直接、或いは、サーバにアクセスして容易且つ迅速に取得することができると共に、サーバに情報をアップロードすることができる上水道メータボックス用情報通信システムを提供することができる。
【００２７】
請求項２記載の発明によれば、請求項１記載の発明の効果に加え、携帯端末接続型ＩＣタグリーダーと、携帯端末とを介して上水道メーターボックスに接続される隣接マンホールの隣接マンホール用情報をサーバから容易且つ迅速に取得することができる。
【００２８】
請求項３記載の発明によれば、ＩＣタグリーダー内蔵携帯端末を介して上水道メータボックスに関する情報を直接、或いは、サーバにアクセスして容易且つ迅速に取得することができると共に、サーバに情報をアップロードすることができる上水道メータボックス用情報通信システムを提供することができる。
【００２９】
請求項４記載の発明によれば、請求項３記載の発明の効果に加え、ＩＣタグリーダー内蔵携帯端末を介して上水道メーターボックスに接続される隣接マンホールの隣接マンホール用情報をサーバから容易且つ迅速に取得することができる。
【００３０】
請求項５記載の発明によれば、ＩＣタグリーダー・ライターを介して上水道メータボックスに関する情報を直接、或いは、サーバにアクセスして容易且つ迅速に取得することができると共に、サーバに情報をアップロードすることができる上水道メータボックス用情報通信システムを提供することができる。
【００３１】
請求項６記載の発明によれば、請求項５記載の発明の効果に加え、ＩＣタグリーダー・ライターを介して上水道メーターボックスに接続される隣接マンホールの隣接マンホール用情報をサーバから容易且つ迅速に取得することができる。
【００３２】
請求項７記載の発明によれば、請求項１乃至６記載の発明の効果に加え、上水道メータボックスの緯度、経度、高度を含む位置情報を直接取得できると共に、その位置情報を利用したサービスを提供する（例えば、インフラ整備、災害対策等に於ける利用）ことができる。
【００３３】
請求項８記載の発明によれば、請求項１乃至７のうちいずれか一の効果と同様な効果を止水弁ボックスで得ることができる。
【００３４】
請求項９記載の発明によれば、請求項８記載の発明の効果に加え、止水弁ボックスの緯度、経度、高度を含む位置情報を直接取得できると共に、その位置情報を利用したサービスを提供する（例えば、インフラ整備、災害対策等に於ける利用）ことができる。
【００３５】
請求項１０記載の発明によれば、携帯端末接続型ＩＣタグリーダーと、携帯端末とを介してマンホールに関する情報を直接、或いは、サーバにアクセスして容易且つ迅速に取得することができると共に、サーバに情報をアップロードすることができるマンホール用情報通信システムを提供することができる。
【００３６】
請求項１１記載の発明によれば、請求項１０記載の発明の効果に加え、携帯端末接続型ＩＣタグリーダーと、携帯端末とを介してマンホールに接続される隣接マンホールの隣接マンホール用情報をサーバから容易且つ迅速に取得することができる。
【００３７】
請求項１２記載の発明によれば、ＩＣタグリーダー内蔵携帯端末を介してマンホールに関する情報を直接、或いは、サーバにアクセスして容易且つ迅速に取得することができると共に、サーバに情報をアップロードすることができるマンホール用情報通信システムを提供することができる。
【００３８】
請求項１３記載の発明によれば、請求項１２記載の発明の効果に加え、ＩＣタグリーダー内蔵携帯端末を介してマンホールに接続される隣接マンホールの隣接マンホール用情報をサーバから容易且つ迅速に取得することができる。
【００３９】
請求項１４記載の発明によれば、ＩＣタグリーダー・ライターを介してマンホールに関する情報を直接、或いは、サーバにアクセスして容易且つ迅速に取得することができると共に、サーバに情報をアップロードすることができるマンホール用情報通信システムを提供することができる。
【００４０】
請求項１５記載の発明によれば、請求項１４記載の発明の効果に加え、ＩＣタグリーダー・ライターを介してマンホールに接続される隣接マンホールの隣接マンホール用情報をサーバから容易且つ迅速に取得することができる。
【００４１】
請求項１６記載の発明によれば、請求項１０乃至１５記載のうちいずれか一に記載の発明の効果に加え、マンホールの蓋体の緯度、経度、高度を含む位置情報を直接取得できると共に、その位置情報を利用したサービスを提供する（例えば、インフラ整備、災害対策等に於ける利用）ことができる。
【発明を実施するための最良の形態】
【００４２】
以下、実施例を示した図面を参照しつつ本発明の実施の形態を説明する。尚、説明の都合上、先に説明した構成部分と同一構成部分については同一符号を付してその説明を省略する。
図１に於いて、１は、本発明の第１実施態様の上水道メータボックス用情報通信システムであり、上水道メータボックス用情報通信システム１は、上水道メーターボックス２に設けられるＩＣタグ３と、ＩＣタグ３のデータを読み取り自在の携帯端末接続型ＩＣタグリーダー４と、携帯端末接続型ＩＣタグリーダー４と通信自在の携帯端末５と、携帯端末５とインターネット６を介して通信自在に接続されるサーバ７とを備えている。
尚、図１に於いて、８は上水道メーターボックス２の両端開放の角筒状の上水道メーターボックス本体を示し、９は上水道メーターボックス２の蓋体を示す。蓋体９は、上水道メーターボックス本体８の上端に開閉自在に設けられる。
又、図１に於いて、１０は、前記携帯端末５が利用する基地局である。
前記ＩＣタグ３は、前記蓋体９の裏面に形成された下方に開口する穴１１内に接着材等を用いて固着される。
【００４３】
図２に示すように、前記ＩＣタグ３は、少なくとも上水道メーターボックス番号２１とサーバ７のサイトに接続するためのＵＲＬ２２とを格納し、好適には、前記上水道メーターボックス番号２１及びＵＲＬ２２の他に、上水道メータ−の仕様２３、上水道メーターの測定値２４、配管の管種２５、配管の口径２６、配管の施工年度２７、配管の更新年度２８、上水道メーターボックス２に接続される隣接マンホールの隣接マンホール番号２９、上水道メータボックスの緯度、経度、高度を含む位置情報３０等が格納されている。
【００４４】
そして、図３に示す如く、携帯端末接続型ＩＣタグリーダー４は、ＩＣタグ３の読み取り手段４１と、携帯端末５への送信手段４２を備えている。
携帯端末５は、携帯端末接続型ＩＣタグリーダー４から情報を受信するＩＣタグリーダー受信手段４３と、携帯端末接続型ＩＣタグリーダー４がＩＣタグ３から読み取ったＵＲＬ２２を介してサーバ７のサイトにアクセスするアクセス手段４４と、サーバ７から情報入力画面を受信する受信手段４５と、情報入力画面を表示する表示手段４６と、情報入力画面に情報を入力する入力手段４７と、情報入力画面に情報が入力されると、入力情報をサーバに送信する送信手段４８と、携帯端末接続型ＩＣタグリーダー４がＩＣタグ３から読み取った上水道メーターボックス番号２１に関する上水道メータボックス用情報をサーバ７に要求する要求情報の送信手段４８と、サーバ７から上水道メーターボックス用情報を受信すると、その情報を表示する表示手段４６と、隣接マンホール番号をサーバに送信する送信手段４８とを備えている。
【００４５】
サーバ７は、上水道メーターボックス用情報を格納するデータベース４９と、携帯端末５からのアクセスにより、情報入力画面を送信する送信手段５０と、携帯端末５から入力情報を受信する受信手段５１と、受信した情報をデータベース４９に格納する格納手段５２と、携帯端末５から上水道メーターボックス用情報の要求があると、前記要求に基づきデータベース４９から上水道メーターボックス用情報を抽出する抽出手段５３と、抽出した情報を携帯端末５に送信する送信手段５０と、携帯端末５から隣接マンホール番号を受信すると、データベース４９から隣接マンホール番号に関する情報を抽出する抽出手段５３と、抽出した隣接マンホール番号に関する情報を携帯端末に送信する送信手段５０とを備えている。
【００４６】
而して、図４に示すフローチャートに従って、前記上水道メーターボックス用情報通信システム１の動作の流れを説明する。
携帯端末接続型ＩＣタグリーダー４が、ＩＣタグ３を読み取り（ステップＳ１）、読み取りデータを携帯端末５に送信すると（ステップＳ２）、携帯端末５は、携帯端末接続型ＩＣタグリーダー４から受信（ステップＳ３）したＵＲＬ２２を介してサーバ７のサイトにアクセスする（ステップＳ４）。
サーバ７は、携帯端末５からのアクセスを受信すると（ステップＳ５）、情報入力画面を携帯端末５へ送信し（ステップＳ６）、携帯端末５は、サーバ７から情報入力画面を受信すると（ステップＳ７）、情報入力画面を表示し（ステップＳ８）、情報入力画面に上水道メーターボックスに内蔵される上水道メーターの計測値等の情報が入力されると（ステップＳ９）、入力情報を上水道メーターボックス番号２１に関連付けてサーバ７に送信する（ステップＳ１０）。
サーバ７は、携帯端末７から入力情報等を受信すると（ステップＳ１１）、受信した情報をデータベース４９に格納する（ステップＳ１２）。
【００４７】
又、携帯端末５から、携帯端末接続型ＩＣタグリーダー４がＩＣタグ３から読み取った上水道メーターボックス番号２１に関する上水道メーターボックス用情報をサーバ７に要求送信すると（ステップＳ１３）、サーバ７は、受信した（ステップＳ１４）要求に基づき、データベース４９から上水道メーターボックス用情報を抽出し（ステップＳ１５）、抽出した情報を携帯端末５に送信する（ステップＳ１６）。
携帯端末５は、サーバ７から上水道メーターボックス用情報を受信すると（ステップＳ１７）、その情報を表示する（ステップＳ１８）。
更に又、携帯端末５が、隣接マンホール番号２９をサーバ７に送信すると（ステップＳ１９）、サーバ７は、隣接マンホール番号２９を受信し（ステップＳ２０）、データベース４９から隣接マンホール番号２９に関する情報を抽出し（ステップＳ２１）、抽出した隣接マンホール番号２９に関する情報を携帯端末５に送信する（ステップＳ２２）。携帯端末５は、サーバ７から隣接マンホール番号２９に関する情報を受信すると（ステップＳ２３）、その情報を表示する（ステップＳ２４）。
【００４８】
図５に於いて、６１は、本発明の第２実施態様の上水道メーターボックス用情報通信システムであり、上水道メーターボックス用情報通信システム６１は、前記上水道メーターボックス用情報通信システム（図１に於いて１）の前記携帯端末接続型ＩＣタグリーダー（図１に於いて４）と、携帯端末（図１に於いて５）との組み合わせに代えて、携帯端末にＩＣタグリーダーを内蔵したＩＣタグリーダー内蔵携帯端末６２を用いるものである。
【００４９】
図６は、本発明の第２実施態様の上水道メーターボックス用情報通信システム６１の詳細説明図であり、上水道メーターボックス用情報通信システム６１は、前記上水道メーターボックス用情報通信システム（図３に於いて１）の前記携帯端末接続型ＩＣタグリーダー（図３に於いて４）を備えず、ＩＣタグリーダー内蔵携帯端末６２は、前記携帯端末（図３に於いて５）のＩＣタグリーダー受信手段（図３に於いて４３）に代えてＩＣタグ９４の読み取り手段６３を備えている。
【００５０】
而して、図７に示すフローチャートに従って、前記上水道メーターボックス用情報通信システム６１の動作の流れを説明する。
ＩＣタグリーダー内蔵携帯端末６２は、ＩＣタグ３を読み取ると（ステップＳ３１）、読み取りデータ中のＵＲＬ２２を介してサーバ７のサイトにアクセスする（ステップＳ３２）。
サーバ７は、ＩＣタグリーダー内蔵携帯端末６２からのアクセスを受信すると（ステップＳ３３）、情報入力画面をＩＣタグリーダー内蔵携帯端末６２へ送信し（ステップＳ３４）、ＩＣタグリーダー内蔵携帯端末６２は、サーバ７から情報入力画面を受信すると（ステップＳ３５）、情報入力画面を表示し（ステップＳ３６）、情報入力画面に上水道メーターボックスに内蔵される上水道メーターの計測値等の情報が入力されると（ステップＳ３７）、入力情報を上水道メーターボックス番号２１に関連付けてサーバ７に送信する（ステップＳ３８）。
サーバ７は、携帯端末７から入力情報等を受信すると（ステップＳ３９）、受信した情報をデータベース４９に格納する（ステップＳ４０）。
【００５１】
又、ＩＣタグリーダー内蔵携帯端末６２が、ＩＣタグ３から読み取った上水道メーターボックス番号２１に関する上水道メーターボックス用情報をサーバ７に要求送信すると（ステップＳ４１）、サーバ７は、受信した（ステップＳ４２）要求に基づき、データベース４９から上水道メーターボックス用情報を抽出し（ステップＳ４３）、抽出した情報をＩＣタグリーダー内蔵携帯端末６２に送信する（ステップＳ４４）。
ＩＣタグリーダー内蔵携帯端末６２は、サーバ７から上水道メーターボックス用情報を受信すると（ステップＳ４５）、その情報を表示する（ステップＳ４６）。
【００５２】
更に又、ＩＣタグリーダー内蔵携帯端末６２が、隣接マンホール番号２９をサーバ７に送信すると（ステップＳ４７）、サーバ７は、隣接マンホール番号２９を受信し（ステップＳ４８）、データベース４９から隣接マンホール番号２９に関する情報を抽出し（ステップＳ４９）、抽出した隣接マンホール番号２９に関する情報をＩＣタグリーダー内蔵携帯端末６２に送信する（ステップＳ５０）。ＩＣタグリーダー内蔵携帯端末６２は、サーバ７から隣接マンホール番号２９に関する情報を受信すると（ステップＳ５１）、その情報を表示する（ステップＳ５２）。
【００５３】
図８に於いて、７１は、本発明の第３実施態様の上水道メーターボックス用情報通信システムであり、上水道メーターボックス用情報通信システム７１は、前記上水道メーターボックス用情報通信システム（図５に於いて６１）のＩＣタグリーダー内蔵携帯端末（図５に於いて６２）に代えて、前記ＩＣタグ３に対し読み取り・書き込み自在のＩＣタグリーダー・ライター７２を用いるものである。
【００５４】
図９は、本発明の第３実施態様の上水道メーターボックス用情報通信システム７１の詳細説明図であり、上水道メーターボックス用情報通信システム７１は、前記上水道メーターボックス用情報通信システム（図６に於いて６１）の前記ＩＣタグリーダー内蔵携帯端末（図６に於いて６２）に代えて、ＩＣタグリーダー・ライター７２を備えている。そして、ＩＣタグリーダー・ライター７２は、前記ＩＣタグリーダー内蔵携帯端末（図６に於いて６２）に記載した機能に追加してＩＣタグ３への書き込み手段７３を備えている。
【００５５】
而して、図１０に示すフローチャートに従って、前記上水道メーターボックス用情報通信システム７１の動作の流れを説明する。
ＩＣタグリーダー・ライター７２は、ＩＣタグ３を読み取ると（ステップＳ６１）、読み取りデータ中のＵＲＬ２２を介してサーバ７のサイトにアクセスする（ステップＳ６２）。
サーバ７は、ＩＣタグリーダー・ライター７２からのアクセスを受信すると（ステップＳ６３）、情報入力画面をＩＣタグリーダー・ライター７２へ送信し（ステップＳ６４）、ＩＣタグリーダー・ライター７２は、サーバ７から情報入力画面を受信すると（ステップＳ６５）、情報入力画面を表示し（ステップＳ６６）、情報入力画面に上水道メーターボックスに内蔵される上水道メーターの計測値等の情報が入力されると（ステップＳ６７）、入力情報を上水道メーターボックス番号２１に関連付けてサーバ７に送信する（ステップＳ６８）。
サーバ７は、携帯端末７から入力情報等を受信すると（ステップＳ６９）、受信した情報をデータベース４９に格納する（ステップＳ７０）。
【００５６】
又、ＩＣタグリーダー・ライター７２が、ＩＣタグ３から読み取った上水道メーターボックス番号２１に関する上水道メーターボックス用情報をサーバ７に要求送信すると（ステップＳ７１）、サーバ７は、受信した（ステップＳ７２）要求に基づき、データベース４９から上水道メーターボックス用情報を抽出し（ステップＳ７３）、抽出した情報をＩＣタグリーダー・ライター７２に送信する（ステップＳ７４）。
ＩＣタグリーダー・ライター７２は、サーバ７から上水道メーターボックス用情報を受信すると（ステップＳ７５）、その情報を表示する（ステップＳ７６）。
【００５７】
更に又、ＩＣタグリーダー・ライター７２が、隣接マンホール番号２９をサーバ７に送信すると（ステップＳ７７）、サーバ７は、隣接マンホール番号２９を受信し（ステップＳ７８）、データベース４９から隣接マンホール番号２９に関する情報を抽出し（ステップＳ７９）、抽出した隣接マンホール番号２９に関する情報をＩＣタグリーダー・ライター７２に送信する（ステップＳ８０）。ＩＣタグリーダー・ライター７２は、サーバ７から隣接マンホール番号２９に関する情報を受信すると（ステップＳ８１）、その情報を表示する（ステップＳ８２）。
尚、ＩＣタグリーダー・ライター７２は、入力情報、受信情報等を適宜ＩＣタグ３に書き込むことができる（ステップＳ８３）。
【００５８】
図１１に於いて、８１は、本発明の第４実施態様の止水弁ボックス用情報通信システムであり、止水弁ボックス用情報通信システム８１は、前記上水道メーターボックス用情報通信システム（図１に於いて１）の上水道メーターボックス２に代えて、止水弁ボックス８２としたものである。止水弁ボックス８２の蓋体８３にＩＣタグ３が設けられている。
同図に於いて、ＩＣタグ３は蓋体８３の表面側に設けられているが、蓋体８３の裏面側に設けられても良い。
【００５９】
図１２は、止水弁ボックス用情報通信システム８１に於けるＩＣタグ３内のデータ構造を示している。同図に示すように、前記ＩＣタグ３は、少なくとも止水弁ボックス番号８４とサーバ７のサイトに接続するためのＵＲＬ２２とを格納し、好適には、前記止水弁ボックス番号８４及びＵＲＬ２２の他に、止水弁の仕様８５、配管の管種２５、配管の口径２６、配管の施工年度２７、配管の更新年度２８、止水弁ボックス８２に接続される隣接マンホールの隣接マンホール番号２９、止水弁ボックス８２の緯度、経度、高度を含む位置情報３０等が格納されている。
【００６０】
前記止水弁ボックス用情報通信システム８１に於いても、前記上水道メーターボックス用情報通信システム（図１に於いて１）で説明した図３と同様の機能を持たせ、図４で説明したフローチャートと同様の動作の流れを実行することが可能である。
【００６１】
又、携帯端末接続型ＩＣタグリーダー４と、携帯端末５との組み合わせに代えて、ＩＣタグリーダー内蔵携帯端末（図示省略）を用いることにより、図６で説明した前記上水道メーターボックス用情報通信システム６１と同様の機能を持たせ、図７で説明したフローチャートと同様の動作の流れを実行することが可能である。
【００６２】
更に又、携帯端末接続型ＩＣタグリーダー４と、携帯端末５との組み合わせに代えて、ＩＣタグリーダー・ライター（図示省略）を用いることにより、図９で説明した前記上水道メーターボックス用情報通信システム７１と同様の機能を持たせ、図１０で説明したフローチャートと同様の動作の流れを実行することが可能である。
【００６３】
図１３に於いて、９１は、本発明の第５実施態様のマンホール用情報通信システムであり、マンホール用情報通信システム９１は、前記上水道メーターボックス用情報通信システム（図１に於いて１）の上水道メーターボックス２に代えて、マンホール９２としたものである。マンホール９２の蓋体９３にＩＣタグ９４が設けられている。
【００６４】
図１４に示すように、前記ＩＣタグ９４は、少なくともマンホール番号１０１とサーバ７のサイトに接続するためのＵＲＬ１０２とを格納し、好適には、前記マンホール番号１０１とＵＲＬ１０２の他に、マンホールの蓋体９３の緯度、経度、高度を含むマンホール位置１０３、マンホールの種類１０４、マンホール内に配置される配管の管番号１０５、マンホールからの水平方向の離間寸法１０６、埋設深さ１０７、配管の管種１０８、配管の口径１０９、隣接するマンホールまでの長さ１１０、配管の施工年度１１１、配管の更新年度１１２、弁栓の仕様１１３、使用条件１１４、管理者情報１１５、管理情報１１６、マンホールに配管を介して接続される上水道メーターボックス番号１１７、マンホールに配管を介して接続される隣接マンホールの隣接マンホール番号１１８が格納されている。
【００６５】
そして、図１５に示す如く、携帯端末接続型ＩＣタグリーダー４は、ＩＣタグ９４の読み取り手段４１と、携帯端末５への送信手段４２を備えている。
携帯端末５は、携帯端末接続型ＩＣタグリーダー４から情報を受信するＩＣタグリーダー受信手段４３と、携帯端末接続型ＩＣタグリーダー４がＩＣタグ９４から読み取ったＵＲＬ１０２を介してサーバ７のサイトにアクセスするアクセス手段４４と、サーバ７から情報入力画面を受信する受信手段４５と、情報入力画面を表示する表示手段４６と、情報入力画面に情報を入力する入力手段４７と、情報入力画面に情報が入力されると、入力情報をサーバに送信する送信手段４８と、携帯端末接続型ＩＣタグリーダー４がＩＣタグ９４から読み取ったマンホール番号１０１に関するマンホール用情報をサーバ７に要求する要求情報の送信手段４８と、サーバ７からマンホール用情報を受信すると、その情報を表示する表示手段４６と、隣接マンホール番号１１８をサーバ７に送信する送信手段４８とを備えている。
【００６６】
サーバ７は、マンホール用情報を格納するデータベース４９と、携帯端末５からのアクセスにより、情報入力画面を送信する送信手段５０と、携帯端末５から入力情報を受信する受信手段５１と、受信した情報をデータベース４９に格納する格納手段５２と、携帯端末５から上水道メーターボックス用情報の要求があると、要求に基づきデータベース４９から上水道メーターボックス用情報を抽出する抽出手段５３と、抽出した情報を携帯端末５に送信する送信手段５０と、携帯端末５から隣接マンホール番号１１８を受信すると、データベース４９から隣接マンホール番号１１８に関する情報を抽出する抽出手段５３と、抽出した隣接マンホール番号１１８に関する情報を携帯端末に送信する送信手段５０とを備えている。
【００６７】
前記データベース４９は、マンホールに関する種々の情報であるマンホール用情報を格納し、特に、マンホールに関するＧＩＳ（Geographic Information System）（地理情報システム）  ＤＢ（データベース）サイトを備えている。従って、例えば、マンホールの位置を示したマンホール周辺の地図、マンホールの位置を示したマンホール周辺の衛星地図、マンホールの位置を示したマンホール周辺の配管地図、マンホールの位置、座標等、人孔・管渠情報、枡、取付管情報、管路断面図、道路埋設状況、維持管理情報等の情報をマンホール用情報として提供できる。尚、複数の前記地図は、前記データベース４９に予め格納することにより、或いは、サーバ７、又は、携帯端末５に搭載される機能により、拡大・縮小地図を適宜提供することも可能である。
【００６８】
而して、図１６に示すフローチャートに従って、前記マンホール用情報通信システム９１の動作の流れを説明する。
携帯端末接続型ＩＣタグリーダー４が、ＩＣタグ９４を読み取り（ステップＳ９１）、読み取りデータを携帯端末５に送信すると（ステップＳ９２）、携帯端末５は、携帯端末接続型ＩＣタグリーダー４から受信（ステップＳ９３）したＵＲＬ１０２を介してサーバ７のサイトにアクセスする（ステップＳ９４）。
サーバ７は、携帯端末５からのアクセスを受信すると（ステップＳ９５）、情報入力画面を携帯端末５へ送信し（ステップＳ９６）、携帯端末５は、サーバ７から情報入力画面を受信すると（ステップＳ９７）、情報入力画面を表示し（ステップＳ９８）、情報入力画面に種々のマンホールに関する情報が入力されると（ステップＳ９９）、入力情報を前記マンホール番号１０１に関連付けてサーバ７に送信する（ステップＳ１００）。
サーバ７は、携帯端末７から入力情報を受信すると（ステップＳ１０１）、受信した情報をデータベース４９に格納する（ステップＳ１０２）。
【００６９】
又、携帯端末接続型ＩＣタグリーダー４がＩＣタグ９４から読み取ったマンホール番号１０１に関するマンホール用情報を携帯端末５がサーバ７に要求送信すると（ステップＳ１０３）、サーバ７は、受信した（ステップＳ１０４）要求に基づき、データベース４９からマンホール用情報を抽出し（ステップＳ１０５）、抽出した情報を携帯端末５に送信する（ステップＳ１０６）。
携帯端末５は、サーバ７からマンホール用情報を受信すると（ステップＳ１０７）、その情報を表示する（ステップＳ１０８）。
更に又、携帯端末５が、隣接マンホール番号１１８をサーバ７に送信すると（ステップＳ１０９）、サーバ７は、隣接マンホール番号１１８を受信し（ステップＳ１１０）、データベース４９から隣接マンホール番号１１８に関する情報を抽出し（ステップＳ１１１）、抽出した隣接マンホール番号１１８に関する情報を携帯端末５に送信する（ステップＳ１１２）。携帯端末５は、サーバ７から隣接マンホール番号１１８に関する情報を受信すると（ステップＳ１１３）、その情報を表示する（ステップＳ１１４）。
これにより、前述のマンホールに関するＧＩＳ  ＤＢサイトが提供するマンホールに関するＧＩＳ情報等、種々のマンホールに関する情報を含むマンホール用情報を取得し、表示することができる。
【００７０】
図１７に於いて、１２１は、本発明の第６実施態様のマンホール用情報通信システムであり、マンホール用情報通信システム１２１は、前記マンホール用情報通信システム（図１３に於いて９１）の前記携帯端末接続型ＩＣタグリーダー（図１３に於いて４）と、携帯端末（図１３に於いて５）との組み合わせに代えて、携帯端末にＩＣタグリーダーを内蔵したＩＣタグリーダー内蔵携帯端末６２を用いるものである。
【００７１】
図１８は、本発明の第６実施態様のマンホール用情報通信システム１２１の詳細説明図であり、マンホール用情報通信システム１２１は、前記マンホール用情報通信システム（図１５に於いて９１）の前記携帯端末接続型ＩＣタグリーダー（図１５に於いて４）を備えず、ＩＣタグリーダー内蔵携帯端末６２は、前記携帯端末（図１５に於いて５）のＩＣタグリーダー受信手段（図１５に於いて４３）に代えてＩＣタグ９４の読み取り手段６３を備えている。
【００７２】
而して、図１９に示すフローチャートに従って、前記マンホール用情報通信システム１２１の動作の流れを説明する。
ＩＣタグリーダー内蔵携帯端末６２は、ＩＣタグ３を読み取ると（ステップＳ１２１）、読み取りデータ中のＵＲＬ２２を介してサーバ７のサイトにアクセスする（ステップＳ１２２）。
サーバ７は、ＩＣタグリーダー内蔵携帯端末６２からのアクセスを受信すると（ステップＳ１２３）、情報入力画面をＩＣタグリーダー内蔵携帯端末６２へ送信し（ステップＳ１２４）、ＩＣタグリーダー内蔵携帯端末６２は、サーバ７から情報入力画面を受信すると（ステップＳ１２５）、情報入力画面を表示し（ステップＳ１２６）、情報入力画面に種々のマンホールに関する情報が入力されると（ステップＳ１２７）、入力情報をサーバ７に送信する（ステップＳ１２８）。
サーバ７は、携帯端末７から入力情報を受信すると（ステップＳ１２９）、受信した情報をデータベース４９に格納する（ステップＳ１３０）。
【００７３】
又、ＩＣタグリーダー内蔵携帯端末６２が、ＩＣタグ３から読み取ったマンホール番号１０１に関するマンホール用情報をサーバ７に要求送信すると（ステップＳ１３１）、サーバ７は、受信した（ステップＳ１３２）要求に基づき、データベース４９からマンホール用情報を抽出し（ステップＳ１３３）、抽出した情報をＩＣタグリーダー内蔵携帯端末６２に送信する（ステップＳ１３４）。
ＩＣタグリーダー内蔵携帯端末６２は、サーバ７からマンホール用情報を受信すると（ステップＳ１３５）、その情報を表示する（ステップＳ１３６）。
【００７４】
更に又、ＩＣタグリーダー内蔵携帯端末６２が、隣接マンホール番号１１８をサーバ７に送信すると（ステップＳ１３７）、サーバ７は、隣接マンホール番号１１８を受信し（ステップＳ１３８）、データベース４９から隣接マンホール番号１１８に関する情報を抽出し（ステップＳ１３９）、抽出した隣接マンホール番号１１８に関する情報をＩＣタグリーダー内蔵携帯端末６２に送信する（ステップＳ１４０）。ＩＣタグリーダー内蔵携帯端末６２は、サーバ７から隣接マンホール番号１１８に関する情報を受信すると（ステップＳ１４１）、その情報を表示する（ステップＳ１４２）。
【００７５】
図２０に於いて、１３１は、本発明の第７実施態様のマンホール用情報通信システムであり、マンホール用情報通信システム７１は、前記マンホール用情報通信システム（図１７に於いて１２１）のＩＣタグリーダー内蔵携帯端末（図１７に於いて６２）に代えて、前記ＩＣタグ９４に対し読み取り・書き込み自在のＩＣタグリーダー・ライター１３２を用いるものである。
【００７６】
図２１は、本発明の第７実施態様のマンホール用情報通信システム１３１の詳細説明図であり、マンホール用情報通信システム１３１は、前記マンホール用情報通信システム（図１８に於いて１２１）の前記ＩＣタグリーダー内蔵携帯端末（図１８に於いて６２）に代えて、ＩＣタグリーダー・ライター１３２を備えている。そして、ＩＣタグリーダー・ライター１３２は、前記ＩＣタグリーダー内蔵携帯端末（図１８に於いて６２）に記載した機能に追加してＩＣタグ９４への書き込み手段７３を備えている。
【００７７】
而して、図２２に示すフローチャートに従って、前記マンホール用情報通信システム１３１の動作の流れを説明する。
ＩＣタグリーダー・ライター１３２は、ＩＣタグ９４を読み取ると（ステップＳ１５１）、読み取りデータ中のＵＲＬ１０２を介してサーバ７のサイトにアクセスする（ステップＳ１５２）。
サーバ７は、ＩＣタグリーダー・ライター１３２からのアクセスを受信すると（ステップＳ１５３）、情報入力画面をＩＣタグリーダー・ライター１３２へ送信し（ステップＳ１５４）、ＩＣタグリーダー・ライター１３２は、サーバ７から情報入力画面を受信すると（ステップＳ１５５）、情報入力画面を表示し（ステップＳ１５６）、情報入力画面に種々のマンホールに関する情報が入力されると（ステップＳ１５７）、入力情報をサーバ７に送信する（ステップＳ１５８）。
サーバ７は、携帯端末７から入力情報を受信すると（ステップＳ１５９）、受信した情報をデータベース４９に格納する（ステップＳ１６０）。
【００７８】
又、ＩＣタグリーダー・ライター１３２が、ＩＣタグ３から読み取ったマンホール番号１０１に関するマンホール用情報をサーバ７に要求送信すると（ステップＳ１６１）、サーバ７は、受信した（ステップＳ１６２）要求に基づき、データベース４９からマンホール用情報を抽出し（ステップＳ１６３）、抽出した情報をＩＣタグリーダー・ライター１３２に送信する（ステップＳ１６４）。
ＩＣタグリーダー・ライター１３２は、サーバ７からマンホール用情報を受信すると（ステップＳ１６５）、その情報を表示する（ステップＳ１６６）。
【００７９】
更に又、ＩＣタグリーダー・ライター１３２が、隣接マンホール番号１１８をサーバ７に送信すると（ステップＳ１６７）、サーバ７は、隣接マンホール番号１１８を受信し（ステップＳ１６８）、データベース４９から隣接マンホール番号１１８に関する情報を抽出し（ステップＳ１６９）、抽出した隣接マンホール番号１１８に関する情報をＩＣタグリーダー・ライター１３２に送信する（ステップＳ１７０）。ＩＣタグリーダー・ライター１３２は、サーバ７から隣接マンホール番号１１８に関する情報を受信すると（ステップＳ１７１）、その情報を表示する（ステップＳ１７２）。
尚、ＩＣタグリーダー・ライター１３２は、入力情報、受信情報等を適宜ＩＣタグ９４に書き込むことができる（ステップＳ１７３）。
【図面の簡単な説明】
【００８０】
【図１】本発明の第１実施態様である上水道メータボックス用情報通信システムの概要図である。
【図２】本発明の上水道メータボックス用情報通信システムのＩＣタグ内データ構造図である。
【図３】本発明の第１実施態様である上水道メータボックス用情報通信システムの詳細説明図である。
【図４】本発明の第１実施態様である上水道メータボックス用情報通信システムのフローチャートである。
【図５】本発明の第２実施態様である上水道メータボックス用情報通信システムの概要図である。
【図６】本発明の第２実施態様である上水道メータボックス用情報通信システムの詳細説明図である。
【図７】本発明の第２実施態様である上水道メータボックス用情報通信システムのフローチャートである。
【図８】本発明の第３実施態様である上水道メータボックス用情報通信システムの概要図である。
【図９】本発明の第３実施態様である上水道メータボックス用情報通信システムの詳細説明図である。
【図１０】本発明の第３実施態様である上水道メータボックス用情報通信システムのフローチャートである。
【図１１】本発明の第４実施態様である止水弁ボックス用情報通信システムの概要図である。
【図１２】本発明の止水弁ボックス用情報通信システムのＩＣタグ内データ構造図である。
【図１３】本発明の第５実施態様であるマンホール用情報通信システムの概要図である。
【図１４】本発明のマンホール用情報通信システムのＩＣタグ内データ構造図である。
【図１５】本発明の第５実施態様であるマンホール用情報通信システムの詳細説明図である。
【図１６】本発明の第５実施態様であるマンホール用情報通信システムのフローチャートである。
【図１７】本発明の第６実施態様であるマンホール用情報通信システムの概要図である。
【図１８】本発明の第６実施態様であるマンホール用情報通信システムの詳細説明図である。
【図１９】本発明の第６実施態様であるマンホール用情報通信システムのフローチャートである。
【図２０】本発明の第７実施態様であるマンホール用情報通信システムの概要図である。
【図２１】本発明の第７実施態様であるマンホール用情報通信システムの詳細説明図である。
【図２２】本発明の第７実施態様であるマンホール用情報通信システムのフローチャートである。
【符号の説明】
【００８１】
１，６１，７１  上水道メータボックス用情報通信システム
２  上水道メーターボックス
３，９４  ＩＣタグ
４  携帯端末接続型ＩＣタグリーダー
５  携帯端末
６  インターネット
７  サーバ
２１  上水道メーターボックス番号
２２，１０２  ＵＲＬ
２９  隣接マンホール番号
３０  位置情報
４９  データベース
６２  ＩＣタグリーダー内蔵携帯端末
７２  ＩＣタグリーダー・ライター
８１  止水弁ボックス用情報通信システム
８２  止水弁ボックス
９１，１２１，１３１  マンホール用情報通信システム
９２  マンホール
９３  蓋体
１０１  マンホール番号
【図１】
2009100087.tif 000003
【図２】
2009100087.tif 000004
【図３】
2009100087.tif 000005
【図４】
2009100087.tif 000006
【図５】
2009100087.tif 000007
【図６】
2009100087.tif 000008
【図７】
2009100087.tif 000009
【図８】
2009100087.tif 000010
【図９】
2009100087.tif 000011
【図１０】
2009100087.tif 000012
【図１１】
2009100087.tif 000013
【図１２】
2009100087.tif 000014
【図１３】
2009100087.tif 000015
【図１４】
2009100087.tif 000016
【図１５】
2009100087.tif 000017
【図１６】
2009100087.tif 000018
【図１７】
2009100087.tif 000019
【図１８】
2009100087.tif 000020
【図１９】
2009100087.tif 000021
【図２０】
2009100087.tif 000022
【図２１】
2009100087.tif 000023
【図２２】
2009100087.tif 000024